【事件の表示】
　特許第２８０００８９号「綴具」の特許に対する特許異議の申立てについて、次のとおり決定する。
【結論】
　訂正を認める。
　本件特許異議の申立てを却下する。
【理由】
１．手続きの経緯
　特許第２８０００８９号の請求項１及び請求項２に係る発明は、平成５年１２月２８日に特許出願され、平成１０年７月１０日にその特許権の設定登録がなされ、その後、請求項１に係る発明の特許に対し、金子克己より特許異議の申立てがなされ、取消理由通知がなされ、その指定期間内である平成１１年８月２０日に訂正請求がなされたものである。
２．訂正の適否についての判断
２−ア．訂正の内容
　特許権者は、以下の事項の訂正を請求するものである。
▲１▼訂正事項ａ
　特許権設定登録時の明細書（以下、単に「特許明細書」という。）の特許請求の範囲の請求項１を削除する。
▲２▼訂正事項ｂ
　特許明細書の特許請求の範囲の請求項２を以下のとおりに訂正する。
「【請求項１】外辺に沿って所定間隔に複数の綴環を起立した細長い第１基板と、上記外辺とは反対の外辺に沿って前記複数の綴環に衝合する綴環を起立した細長い第２基板とを組合わせ、前記第１基板と第２基板とは別個の分離自在の部材として形成され、前記第１基板と第２基板は、両基板を閉鎖時に係止するために両端部に相互に係脱し得る第１及び第２のロック部材をそれぞれ有するルースリーフ綴具において、第１のロック部材は、第１基板の両端部において両基板の開閉方向に延びる弾性を有する第１の板部材と該第１の板部材から下方に突出する開閉方向内外に並んだ一対の第１の鈎状突起とを含み、第２のロック部材は前記第１の板部材の下側に配置される第２の板部材と該第２の板部材から上方に突出し前記両基板の閉鎖時には第２基板の両端部において前記一対の第１の鈎状突起の内方の鈎状突起に係合し、前記両基板の開放時には前記一対の第１の鈎状突起の外方の鈎状突起に係合するように設けた第２の鈎状突起を含んでおり、第１及び第２基板は該両基板の閉鎖時の力で互いに係止し開放時の力で係止を脱する戻り止め突起と凹所を長手方向中間部に有するルースリーフ綴具。」
▲３▼訂正事項ｃ
　特許明細書の段落【０００２】の「また、」の後に、「図４のように」を加入する。
▲４▼訂正事項ｄ
　特許明細書の段落【０００３】の「量端部」を、「両端部」に訂正する。
▲５▼訂正事項ｅ
　特許明細書の段落【０００５】の「場合により」を、「更に」に訂正する。
▲６▼訂正事項ｆ
　特許明細書の段落【００１３】の「基板が長い場合には」を、「基板には」に訂正し、「両者を係止させても良く、」を、「両者が係止するようにする。」に訂正する。
▲７▼訂正事項ｇ
　特許明細書の段落【００１４】の「具備させれば」を、「具備することにより」に訂正し、「防止できる戻り止めを使用すると」を、「防止でき」に訂正する。
▲８▼訂正事項ｈ
　特許明細書の段落【図面の簡単な説明】の「【図１１】参考例の戻り止め機構を示す断面図である。」を、「【図１１】本発明の戻り止め機構を示す断面図である。」と訂正する。
２−イ．訂正の目的の適否、新規事項の有無、拡張・変更の存否及び独立特許要件
　上記訂正事項ａについては、特許明細書の特許請求の範囲の請求項１を削除するものであるから、特許請求の範囲の減縮を目的とするものであり、
　上記訂正事項ｂについては、請求項１に従属していた請求項２を独立形式の記載としたことに伴う訂正であって、明りょうでない記載の釈明を目的とするものであり、
　上記訂正事項ｃについては、「図４」に示す形式の綴具を説明する箇所を示すための訂正であって、明りょうでない記載の釈明を目的とするものであり、
　上記訂正事項ｄについては、誤記の訂正を目的とするものであり、
　上記訂正事項ｅ、ｆ、ｇ、ｈについては、上記訂正事項ａ及びｂの特許請求の範囲の訂正に伴い、対応する発明の詳細な説明及び図面の簡単な説明の記載を整合させるための訂正であり、明りょうでない記載の釈明を目的とするものである。
　また、上記訂正事項ａ〜ｈの訂正は、それぞれ願書に添付した明細書又は図面に記載した事項の範囲内のものであり、実質上特許請求の範囲を拡張し、又は変更するものではなく、訂正後の特許請求の範囲に記載された発明が出願の際独立して特許を受けることができるものである。
２−ウ．むすび
　以上のとおりであるから、上記訂正請求は、特許法第１２０条の４第２項及び同条第３項で準用する同法第１２６条第２ー４項の規定に適合するので、当該訂正を認める。
３．特許異議の申立てについての判断
　特許明細書の特許請求の範囲の請求項１に係る発明は、訂正の結果削除され、特許異議の申立ての対象が存在しない。
　よって、結論のとおり決定する。
【異議決定日】
平成１１年１０月１２日（１９９９．１０．１２）
【訂正の要旨】
　本件特許第２８０００８９号の訂正事項は、以下のとおりである。
〔Ｉ〕特許請求の範囲の訂正
（１）特許請求の範囲の減縮を目的として、特許明細書特許請求の範囲の請求項１を削除する。
（２）明りょうでない記載の釈明を目的として、特許明細書特許請求の範囲の請求項２を以下のとおりに訂正する。
「【請求項１】外辺に沿って所定間隔に複数の綴環を起立した細長い第１基板と、上記外辺とは反対の外辺に沿って前記複数の綴環に衝合する綴環を起立した細長い第２基板とを組合わせ、前記第１基板と第２基板とは別個の分離自在の部材として形成され、前記第１基板と第２基板は、両基板を閉鎖時に係止するために両端部に相互に係脱し得る第１及び第２のロック部材をそれぞれ有するルースリーフ綴具において、第１のロック部材は、第１基板の両端部において両基板の開閉方向に延びる弾性を有する第１の板部材と該第１の板部材から下方に突出する開閉方向内外に並んだ一対の第１の鈎状突起とを含み、第２のロック部材は前記第１の板部材の下側に配置される第２の板部材と該第２の板部材から上方に突出し前記両基板の閉鎖時には第２基板の両端部において前記一対の第１の鈎状突起の内方の鈎状突起に係合し、前記両基板の開放時には前記一対の第１の鈎状突起の外方の鈎状突起に係合するように設けた第２の鈎状突起を含んでおり、第１及び第２基板は該両基板の閉鎖時の力で互いに係止し開放時の力で係止を脱する戻り止め突起と凹所を長手方向中間部に有するルースリーフ綴具。」
〔ＩＩ〕発明の詳細な説明の訂正
（１）明りょうでない記載の釈明を目的として、特許明細書の段落【０００２】の「また、」の後に、「図４のように」を加入する。
（２）誤記の訂正を目的として、特許明細書の段落【０００３】の「量端部」を、「両端部」に訂正する。
（３）明りょうでない記載の釈明を目的として、特許明細書の段落【０００５】の「場合により」を、「更に」に訂正する。
（４）明りょうでない記載の釈明を目的として、特許明細書の段落【００１３】の「基板が長い場合には」を、「基板には」に訂正し、「両者を係止させても良く、」を、「両者が係止するようにする。」に訂正する。
（５）明りょうでない記載の釈明を目的として、特許明細書の段落【００１４】の「具備させれば」を、「具備することにより」に訂正し、「防止できる戻り止めを使用すると」を、「防止でき」に訂正する。
（６）明りょうでない記載の釈明を目的として、特許明細書の段落【図面の簡単な説明】の「【図１１】参考例の戻り止め機構を示す断面図である。」を、「【図１１】本発明の戻り止め機構を示す断面図である。」と訂正する。
（５４）【発明の名称】
綴具
（５７）【特許請求の範囲】
　　【請求項１】
外辺に沿って所定間隔に複数の綴環を起立した細長い第１基板と、上記外辺とは反対の外辺に沿って前記複数の綴環に衝合する綴環を起立した細長い第２基板とを組合わせ、前記第１基板と第２基板とは別個の分離自在の部材として形成され、前記第１基板と第２基板は、両基板を閉鎖時に係止するために両端部に相互に係脱し得る第１及び第２のロック部材をそれぞれ有するルースリーフ綴具において、第１のロック部材は、第１基板の両端部において両基板の開閉方向に延びる弾性を有する第１の板部材と該第１の板部材から下方に突出する開閉方向内外に並んだ一対の第１の鈎状突起とを含み、第２のロック部材は前記第１の板部材の下側に配置される第２の板部材と該第２の板部材から上方に突出し前記両基板の閉鎖時には第２基板の両端部において前記一対の第１の鈎状突起の内方の鈎状突起に係合し、前記両基板の開放時には前記一対の第１の鈎状突起の外方の鈎状突起に係合するように設けた第２の鈎状突起を含んでおり、
【発明の詳細な説明】
　　　【０００１】
　　【産業上の利用分野】
　本発明は一縁部に沿って複数の綴じ孔を有するルースリーフを綴じ込むための綴具に関し、更に詳しくは、ルースリーフ式のアルバム、ノート、透明フィルム保管袋、その他同様物を綴じ込むための綴具に関する。
　　　【０００２】
　　【従来の技術】
　綴環を開閉することによりルースリーフを閉じる形式の綴具には大別して２種あり、多数枚のルースリーフを、綴環を有する適当な綴具で保持するだけの形式のものと、ルースリーフを保持した綴具を固い表紙の背部の内側に鳩目や鋲を使用して固定した形式のものとがある。前者の代表的なものには、図１に示したようにコイルスプリング状の綴具１を、多数枚重ねたルースリーフ３の背部に沿って一定間隔に設けた多数の綴じ孔５に順次挿通させたもの、図２に示すように一部が解放したほぼ完全な環状の綴環７を有する綴具９を同様に使用したものなどがある。後者の表紙を有する形式のものには図３のように表紙２１に固定した弾性さや１１により拘束した一対の可動基板１３、１５を内縁で衝合させ、両基板には互いに衝合する綴環１７、１９を設け、つまみ１３、２５を操作して基板を上下動させることにより綴環１７、１９の開閉を行うものがある。また、
図４のように
　　　【０００３】
　　【発明が解決しようとする課題】
　図１〜２に示した形式の綴具では、ルースリーフの綴じ込みが面倒であり、時間とコストがかかり、またルースリーフの取りはずしは不可能又は困難である。図３〜４に示した形式の場合には、綴具の開閉が容易なためルースリーフの綴じ込み及び交換が容易であるが、図３の場合は部品点数が多くなり大型かつコスト高になる。またつまみ２３、２５が大きく露出しまたさや１１があるために断面形状が大きくなり過ぎて、図１〜２のような使用方法には適さない。図４の例では、軸３１側に枢着部を有し、手前側にロック部材３７、３９を有するために複雑な機構となり、また、これを表紙なしの図１〜２のような使用方法をとるとロック部材が露出して見苦しい。従来、２つの基板を完全に分離する形式の綴具は公知であるが、一般に一方の端部に他端にロック部材が形成されるのもで、枢着状態では綴具の開放時に開きが不十分でルースリーフの挿脱に不便がある。これに対して、以下で述べる参考例のように２つの基板の
両
　　　【０００４】
　　【課題を解決するための手段】
　簡単に述べると、本発明のルースリーフ綴具は、外辺に沿って所定間隔に複数の綴環を起立した細長い第１基板と、上記外辺とは反対の外辺に沿って前記複数の綴環に衝合する綴環を起立した細長い第２基板とを組合わせ、前記第１基板と第２基板とは別個の分離自在の部材として形成され、前記第１基板と第２基板は、両基板を閉鎖時に係止するために両端部に相互に係脱し得る第１及び第２のロック部材をそれぞれ有するルースリーフ綴具において、第１のロック部材は、第１基板の両端部において両基板の開閉方向に延びる弾性を有する第１の板部材と該第１の板部材から下方に突出する開閉方向内外に並んだ一対の第１の鈎状突起とを含み、第２のロック部材は前記第１の板部材の下側に配置される第２の板部材と該第２の板部材から上方に突出し前記両基板の閉鎖時には第２基板の両端部において前記一対の第１の鈎状突起の内方の鈎状突起に係合し、前記両基板の開放時には前記一対の第１の鈎状突起の外方の鈎状突起に係合するように設けた第２の鈎状突起を含んでいるルースリーフ綴具を提供する。本発明によると２段ロックが可能となる。すなわち、第１のロック位置では綴環が完全に閉鎖され、第２のロック位置では綴環は開いているが両基板は外れない状態になり、必要に応じて両基板を完全に外すこともできる。
　　　【０００５】
　
更に、
　　　【０００６】
　　【参考例】
　以下参考例を図５〜１０を参照して詳しく説明する。図５に示す様に、ルースリーフ綴具は、外辺に沿って所定間隔に複数の綴環４５を起立した細長い第１基板４１と、上記外辺とは反対の外辺に沿って前記複数の綴環に衝合する綴環４７を起立した細長い第２基板４３とから構成される。綴環４５、４７は図５の様に角形リング状で且つ先端が図８の様に鋸歯状で互いに相補形状をなすか、あるいは丸型リングで先端に小突起及びそれに対応した小穴を有するなど任意の周知の綴環を利用すれば良い。第１基板の綴環４１は外辺の肉厚部４９に形成されている。第１及び第２基板は完全に分離できるセパレート型であり、後で説明するようにルースリーフの挿脱が必要な時に組み込み或いは分解することができる。
　　　【０００７】
　第１基板４１はその上面に摺動面５１を有し、その外辺は厚肉部の４９の下に形成されたアンダーカット部５３の底面を形成している。第２基板４３はその下面に第１基板４１の摺動面５１と摺動する摺動面５５を有する。第２基板４３の内辺は第１基板４１のアンダーカット部５３に密に嵌合する薄肉部５７が形成されており、綴環を閉鎖するように両基板を組み込んだ時に綴環の上下方向の整列を確実に行わせると共に、両基板の確実な固定を行う。この手段も周知である。
　　　【０００８】
　両基板４１、４３の組み込みを容易にし且つ綴環が確実に整列させて衝合させるために、両基板の長手方向に対してほぼ直交する方向に延び且つ相補形状をなす第１のガイド部５９及び第２のガイド部６１を両基板にそれぞれ形成する。ガイド部５９、６１は両基板の長さに依存して一か所だけでなく両基板の長手方向に沿った複数カ所に設けることができる。第１のガイド部５９は第１基板の長手方向に対して直角な方向に延びる一定幅のガイド部材６３と自由端に向けて先細にテーパする板状部材６５とからなる。第２のガイド部６１は、第１のガイド部５９のガイド部材６３と嵌合して摺動ずるガイド溝６７と板状部材６５と嵌合する凹所７１とを有し、凹所７１の周縁は板状部材６５の周縁と一致する形状の先細のテーパを有している。ガイド部材６３とガイド溝６７は遊嵌で良く、両基板の正確な整列状態は板状部材６５と凹所７１が完全に嵌合した状態でテーパ面によって規制される。この例は好ましいものであるが、他の適当な構造のガイド部を採用しても良い。例えば、機能はやや劣るがガイド部材６３とガイド溝６７は省略しても良いし、逆に、ガイド部材６３とガイド溝６７にテーパ付けをして板状部材６５と凹所７１を省略しても良い。
　　　【０００９】
　両基板４１、４３が綴環を閉鎖するように組み込まれた時に、両者のロックを確実に行い、また必要な時にロックを解除するように、両基板４１、４３の両端にそれぞれ第１のロック部材７３及び第２のロック部材７５を設ける（両端は対称な構造を有するので一方のみを図示する）。第１のロック部材７３は、第１基板の摺動面から凹入する凹所７７と、厚肉部４９の下に形成したアンダーカット部７９へ向けて下方へ突出する鈎状突起８１とからなる。第２のロック部材７５は、第２基板４３の内辺からアンダーカット部７９の方向へ延びた弾性板部８３とその端部に前記鈎状突起８１に係合する様に設けた鈎状突起８５とからなっている。弾性板部８３は凹所７７のそこに接触しないで弾性変形するように定められる。鈎状突起８１、８５の先端にはテーパ面を設けて閉鎖時に突起８５がこれらテーパ面によるカム作用により自然にロックできるようにする。凹所７７の端部から凹所の側壁４８までの寸法ｄを図５で右から左にかけて小さくするようにしておき、鈎状突起８５の側面８６が側壁４８の最左端で正確に接触するようにしておけば、ロック部材自体でガイド作用が得られ、そのためガイド部５９、６１はなくても良くなる。しかし、両基板が長い場合にはロック部材にガイド作用を持たせるかどうかにかかわりなく長手方向に沿った中間部の一か所以上にガイド部を設けることが好ましい。なおロックを解除する際の押圧部を示す鋸歯状標識８７を形成しても良い。このロック部材の構造は、両基板の基本形状をほぼ利用しているため極めて単純で、小型で、薄型である。この構成によると、ロック部材７３、７５は両基板を相互の方向に閉鎖することにより自動的に係止する。また第２のロック部材を押し下げることにより弾性板部８３に抗してロックを解除することができる。またロック部材は両基板の一部を利用して形成されているから場所を取らず、小型化できる。
　　　【００１０】
　なお、必要に応じて第１基板に表紙への取り付け孔を形成して置くことも可能である。すなわち、綴具は表紙無しの綴具として使用するのに特に適するが、表紙付きに転用も容易である。
　　　【００１１】
　以上の構成であるから、綴環４５、４７を互いに閉鎖するには、両基板をほぼそろえ、第１基板４１の摺動面５１に第２基板４３の摺動面５５を載せ、次いでガイド部材６３をガイド溝６７に嵌合させる。両者は遊嵌であるから手探りで容易にはまる。両基板４１、４２を更に相互の方向（基板の長手方向に対して直角な方向）に押す。板状部材６５と凹所７１のテーパの係合により両基板は長手方向の位置が正確に規制され、また第２基板の薄肉部５７が第１基板のアンダーカット部５３に密に嵌合することにより両基板は上下方向にも精密に規制される。このため綴環４５、４７は正確に整列し衝合する。同時に、ロック部材７３、７５は鈎状突起８１、８５のテーパ面によりガイドされて自動的に係止する。閉鎖状態からロック部材を解除するには、図５の標識部８７を下に押しながら、水平方向にスライドさせる。また、第１及び第２基板が短い場合等の場合には、ガイド部を省略しても良い。しかしながら、この参考例ではロックを解除すると両基板は完全に分離するので、綴環に閉じてあるルースリーフが脱落したり、ルースリーフの挿入の際にルースリーフを細心の注意で取り扱う必要がある。
　　　【００１２】
　　【実施例】
　本発明では、ロック部材を２段ロックとして構成し、両基板が摺動して綴環をある程度開いた状態にできる様にすることができる。図１２は図５のロック部材７３、７５の代わりに使用できる２段ロック手段を示す。図において、第１基板４１の両端部（一端部のみを図示）には第１のロック部材１０１と第２のロック部材１０３が設けてあり、第１のロック部材１０１は綴環の開閉方向（すなわち両基板の摺動方向）に延びた板部材９４とその下面に突出する一対の鈎状突起９３、９５が設けてある。一方第２のロック部材１０３は、ばねを構成する板部材９６とその先端に設けられた鈎状突起９７と、板部材９６と一体でそれを押し下げることができる指掛け９９とよりなる。突起９７が突起９３と係合する時は、綴環が弾性下に綴じた状態であり、突起９７が突起９５と係合する時は、綴環が開放しているが両基板は離れない状態にある。動作において、綴環が綴じた状態から指掛け９９を押し下げて図１２で右に押し、同時に押し下げ力をゆるめると、突起９７が突起９５と係合する。もしも両基板を完全に外したければ、更に指掛け９７を押し下げながら右に押す。
　　　【００１３】
　又、第１及び第２
基板には
両者が係止するようにする。
　　　【００１４】
　　【発明の効果】
　本発明の綴具は２段ロックが可能となる。すなわち、第１のロック位置では綴環が完全に閉鎖され、第２のロック位置では綴環は開いているが両基板は外れない状態になりルースリーフの差し替えを基板同士が外れない状態で行うことができ、必要に応じて両基板を完全に外すこともできる。また、戻り止めを中間部分に具備
することにより、
防止でき、
【図面の簡単な説明】
　　【図１】
　従来の背表紙のない綴具の例を示す斜視図である。
　　【図２】
　従来の背表紙のない綴具の他の例を示す斜視図である。
　　【図３】
　従来の背表紙と共に使用する型の例を示す斜視図である。
　　【図４】
　従来の背表紙と共に使用する型の他の例を示す斜視図である。
　　【図５】
　参考例の綴具の要部を分解した拡大斜視図である。
　　【図６】
　第５図のＡ−Ａ’断面図である。
　　【図７】
　第５図のＡ−Ａ’に相当する組み込み状態の断面図である。
　　【図８】
　第５図のＢ−Ｂ’断面図である。
　　【図９】
　参考例のガイド部の平面図である。
　　【図１０】
　参考例のロック部材の端面図である。
　　【図１１】
　
本発明の
　　【図１２】
　本発明のロック部の実施例を示す斜視図である。
　　【符号の説明】
　４１　第１基板
　４３　第２基板
　４５、４７　綴環
　４９　肉厚部
　５１　摺動面
　５３　アンダーカット部
　５５　摺動面
　５７　薄肉部
　５９　第１のガイド部
　６１　第２のガイド部
　６３　ガイド部材
　６５　板状部材
　６７　ガイド溝
　７１　凹所
　７３　第１のロック部材
　７５　第２のロック部材
　７７　凹所
　７９　アンダーカット部
　８１　鈎状突起
　８３　弾性板部
　８４　突起
　８５　鈎状突起
　８６　側面
　８８　凹所
　９３、９５　鈎状突起
　９４　板部材
　９６　板部材
　９７　鈎状突起
　１０１　第１のロック部材
　１０２　第２のロック部材